(57)【要約】  本発明は、界面活性剤並びに他の洗剤および洗浄剤の通常成分を含み、ポリアクリレート増粘剤、キサンタンガム、グァーフラワー、アルギン酸塩、カラギーナン、カルボキシメチルセルロース、ベントナイト、ウェランガムおよびキャロブフラワーから成る群から選ばれる増粘剤並びにジェランガムから成る増粘剤系を含む、水性液状洗剤または洗浄剤に関する。得られた水性液状洗剤または洗浄剤は、輸送および貯蔵中、澄明かつ安定であり、長時間にわたって安定な状態で粒子を分散できる。【特許請求の範囲】
【請求項１】
増粘剤系として、
ａ）ジェランガムおよび
ｂ）ポリアクリレート増粘剤、キサンタンガム、グァーフラワー、アルギン酸塩、カラギーナン、カルボキシメチルセルロース、ベントナイト、ウェランガムおよびキャロブフラワーから成る群から選ばれる増粘剤
を含むことを特徴とする、界面活性剤並びに更なる洗剤および洗浄剤の通常成分を含む水性液状洗剤および洗浄剤。
【請求項２】
ジェランガムの量が０．０１〜０．５重量％、好ましくは０．０５〜０．５重量％であることを特徴とする、請求項１に記載の水性液状洗剤および洗浄剤。
【請求項３】
ポリアクリレート増粘剤の量が０．０１〜１．０重量％、好ましくは０．１〜１．０重量％であることを特徴とする、請求項１または２に記載の水性液状洗剤および洗浄剤。
【請求項４】
キサンタンガムの量が０．０１〜１．０重量％、好ましくは０．０１〜０．５重量％であることを特徴とする、請求項１〜３のいずれかに記載の水性液状洗剤および洗浄剤。
【請求項５】
最大寸法に沿った径が０．０１〜１０,０００μｍである分散粒子を含むことを特徴とする、請求項１〜４のいずれかに記載の水性液状洗剤および洗浄剤。
【請求項６】
分散粒子がマイクロカプセルまたはスペックルであることを特徴とする、請求項１〜５のいずれかに記載の水性液状洗剤および洗浄剤。
【請求項７】
２〜２０重量％、好ましくは４〜１０重量％、特に好ましくは６〜８重量％の脂肪酸石鹸を含むことを特徴とする、請求項１〜６のいずれかに記載の水性液状洗剤および洗浄剤。
【請求項８】
シート様布地構造物または硬質表面を洗浄するための請求項１〜７のいずれかに記載の洗剤および洗浄剤の使用。
【発明の詳細な説明】
【技術分野】
【０００１】
本発明は、界面活性剤並びに更なる洗剤および洗浄剤の通常成分を含む水性液状洗剤および洗浄剤に関する。
【背景技術】
【０００２】
液状洗剤および洗浄剤へある種の活性物質（例えば、漂白剤、酵素、香料、染料など）を配合すると、問題を生じることがある。例えば、液状洗剤および洗浄剤の各活性成分間で不適合が生じることがある。これによって、望ましくない変色、凝集、臭気問題、および洗剤活性物質の破壊が起こり得る。
【０００３】
しかしながら、消費者は、貯蔵および輸送後でさえ、使用時にその作用を最適に示す液状洗剤および洗浄剤を求めている。これには、液状洗剤および洗浄剤の成分が、事前に沈澱したり分解したり或いは揮発したりしないことが必要である。
【０００４】
例えば、複雑でそれ故に高価な包装によって、揮発成分の減損を防ぐことができる。化学的に不適合な成分は、液状洗剤および洗浄剤の残余成分と別々に貯蔵し、使用時に量り入れてもよい。不透明な包装を使用することによって、光に敏感な成分の分解を防ぐことができるが、消費者が液状洗剤および洗浄剤の外観および量を見ることができないという欠点も有する。
【０００５】
敏感な、化学的または物理的に不適合な、そして揮発性の成分を配合するための構想として、粒子、特にマイクロカプセルの使用があり、これらの成分は、貯蔵および輸送中安定となるようにカプセル化される。
【０００６】
化粧品分野から、GB 1 471 406は、少なくとも２重量％のトリエタノールアミンラウリルスルフェート、合計で８〜５０重量％の界面活性剤、および０．１〜５重量％の懸濁相、例えば０．１〜５ｍｍの径を有する球状カプセルを含んで成り、５．５〜１１のｐＨを有する、液状水性洗剤を記載している。懸濁相の均一分散は、水溶性アクリル酸ポリマー、例えばCarbopol 941を用いることによって達成される。
【０００７】
WO 93/22417は、５〜８５重量％の界面活性剤、および０．１〜１０重量％の２５０μｍ未満のサイズを有するポリマーカプセルを含む液状洗浄組成物を開示している。該ポリマーカプセルは、敏感な洗浄活性物質、並びに２：８〜７：３の比で疎水性ポリマーコアおよび親水性ポリマーを含んで成るポリマー組成物を含有する。
【０００８】
WO 97/12027は、１０〜４０重量％のアニオン性界面活性剤、１〜１０重量％のアミンオキシド、１０重量％未満の溶媒、および０〜１０重量％の電解質を含む、（１０％希釈で）５〜９のｐＨを有する液状洗剤を開示する。この液体は、２０／ｓの剪断速度で１００〜４,０００ｃｐｓの粘度を有し、２００μｍのサイズまでの粒子を懸濁することができる。
【０００９】
液体中で粒子を懸濁するための１つの可能な方法は、構造化液体の使用である。それは、内部構造化と外部構造化に区別される。例えば、外部構造化は、構造化ガム、例えばキサンタンガム、グァーガム、キャロブフラワー、ジェランガム、ウェランガムまたはカラギーナンを使用することによって実現し得る。
【００１０】
審美的観点から、粒子が懸濁している液状洗剤が透明または少なくとも半透明であることが望ましい。しかしながら、構造化ガムの使用によって、しばしば組成物は不透明になる。
【００１１】
GB 1 471 406に記載されている液状水性洗剤は澄明であるが、ポリアクリレート増粘剤を使用しているので降伏価を有していない。
【００１２】
WO 00/36078は、少なくとも１５重量％の界面活性剤および０．０１〜５重量％のポリマーガムを含んで成る、３００〜５,０００μｍのサイズを有する粒子を懸濁することができる、透明／半透明液状洗剤を記載している。該特許出願は、該液状洗剤が降伏価を有するか否かについての情報を含んでいない。更に、そこに記載されている液状洗剤は、脂肪酸石鹸を少量（１．４２重量％以下）しか含まない。
【発明の開示】
【発明が解決しようとする課題】
【００１３】
従って、本発明の目的は、降伏価を有し、貯蔵および輸送中安定であり、均一に粒子を分散できる、澄明な洗剤および洗浄剤を提供することである。
【課題を解決するための手段】
【００１４】
この目的は、各々の場合で組成物全体に基づいて、増粘剤系として、
ａ）ジェランガムおよび
ｂ）ポリアクリレート増粘剤、キサンタンガム、グァーフラワー、アルギン酸塩、カラギーナン、カルボキシメチルセルロース、ベントナイト、ウェランガムおよびキャロブフラワーから成る群から選ばれる増粘剤
を含み、界面活性剤並びに更なる洗剤および洗浄剤の通常成分を含む、水性液状洗剤および洗浄剤によって達成される。
【００１５】
意外なことに、ジェランガムと更なる増粘剤との組合せが、貯蔵中安定で、降伏価を有する澄明な洗剤および洗浄剤を導くことが見出された。
【発明を実施するための最良の形態】
【００１６】
洗剤および洗浄剤中のジェランガムの量が０．０１〜０．５重量％、好適には０．０５〜０．５重量％であることが好ましい。
【００１７】
更に、増粘剤系の第２成分としてポリアクリレート増粘剤を使用する場合、ポリアクリレート増粘剤の量が０．０１〜１．０重量％、好適には０．１〜１．０重量％であることが好ましい。
【００１８】
また、増粘剤系の第２成分としてキサンタンガムを使用する場合、キサンタンガムの量が０．０１〜１．０重量％、好適には０．０５〜０．５重量％であることが好ましい。
【００１９】
増粘剤系のこれらの組合せは、降伏価を有する澄明な増粘化洗剤および洗浄剤を導く。最終生成物の粘度は広い範囲で変化でき、従って、事実上「液状の」組成物が調製され得る。
【００２０】
好ましい態様において、洗剤および洗浄剤は、その最大寸法に沿った径が０．０１〜１０,０００μｍである分散粒子、特に好ましくはマイクロカプセルまたはスペックルを含む。
【００２１】
特にマイクロカプセルを使用することによって、敏感な、化学的または物理的に不適合な、そして揮発性の、水性液状洗剤および洗浄剤の成分を、貯蔵および輸送中安定となるようにカプセル化でき、水性液状洗剤および洗浄剤中に均一に分散できる。これは、とりわけ、使用時に消費者が洗剤および洗浄剤を完全な洗浄力で利用できることを確実にする。
【００２２】
特に好ましい態様において、洗剤および洗浄剤は、２〜２０重量％、好ましくは４〜１０重量％、特に好ましくは６〜８重量％の脂肪酸石鹸を含む。
【００２３】
脂肪酸石鹸は、水性液状洗剤および洗浄剤の洗浄力のために重要な成分である。意外なことに、ポリアクリレート増粘剤、キサンタンガム、グァーフラワー、アルギン酸塩、カラギーナン、カルボキシメチルセルロース、ベントナイト、ウェランガムおよびキャロブフラワーであり得る増粘剤並びにジェランガムから成る増粘剤系の使用によって、降伏価を有する澄明かつ安定な増粘化液状洗剤および洗浄剤が得られることが見出された。通常、このような系で脂肪酸石鹸を多量（２重量％以上）に使用することは、不透明かつ不安定な生成物を生じる。
【００２４】
以下で、本発明の洗剤および洗浄剤を詳細に、とりわけ実施例に関して記載する。
【００２５】
増粘剤系は、必須成分としてジェランガムを含む。ジェランガムは、モノマーであるグルコース、グルクロン酸およびラムノースからなる、四糖類親単位を有する直鎖アニオン性微生物性ヘテロエキソ多糖類である。ジェランガムは、熱可逆性ゲルの加熱および冷却後に生ずる。このゲルは、広範な温度およびｐＨ範囲において安定である。洗剤および洗浄剤中の（組成物全体に基づいた）ジェランガムの量は、好ましくは０．０１〜０．５重量％、特に好ましくは０．０５〜０．５重量％である。ジェランガムは、例えば、Kelcoから様々な品質でKelcogel（登録商標）の商品名で得ることができる。
【００２６】
第２成分として、増粘剤系は、ポリアクリレート増粘剤、キサンタンガム、グァーフラワー、アルギン酸塩、カラギーナン、カルボキシメチルセルロース、ベントナイト、ウェランガムおよびキャロブフラワーから成る群から選ばれる増粘剤を含む。上記した増粘剤のうち、ポリアクリレート増粘剤およびキサンタンガムが好ましい。
【００２７】
ポリアクリレート増粘剤およびポリメタクリレート増粘剤は、例えば、ポリアルケニルポリエーテル、特にスクロース、ペンタエリスリトールまたはプロピレンのアリルエーテルと架橋し、カルボキシビニルポリマーとも称される、アクリル酸の高分子量ホモポリマー（"The Cosmetic, Toiletry and Fragrance Association (CTFA)"の"International Dictionary of Cosmetic Ingredients"に従ったINCI名：カルボマー）を含む。このようなポリアクリル酸は、とりわけ、3V SigmaからPolygel（登録商標）、例えばPolygel DAの商品名で、B.F. GoodrichからCarbopol（登録商標）、例えばCarbopol 940（分子量約４,０００,０００）、Carbopol 941（分子量約１,２５０,０００）またはCarbopol 934（分子量約３,０００,０００）の商品名で入手できる。
【００２８】
また、以下のアクリル酸コポリマーが上記増粘剤に含まれる：
（i）アクリル酸、メタクリル酸およびこれらの単純エステル（好ましくはＣ1〜4−アルカノールと形成される）から成る群から選ばれる２つ以上のモノマーから成るコポリマー（INCI名：Acrylates Copolymer）。例えば、メタクリル酸、アクリル酸ブチルおよびメタクリル酸メチルのコポリマー（Chemical Abstracts Serviceに従ったCAS番号：25035-69-2）、或いはアクリル酸ブチルおよびメタクリル酸メチルのコポリマー（CAS番号：25852-37-3）が属し、例えば、Rohm & HaasからAculyn（登録商標）およびAcusol（登録商標）の商品名で、Degussa（Goldschmidt）からTego（登録商標）ポリマー、例えばアニオン性非会合性ポリマーであるAculyn 22、Aculyn 28、Aculyn 33（架橋）、Acusol 810、Acusol 823およびAcusol 830（CAS番号：25852-37-3）の商品名で入手可能である。
（ii）架橋高分子量アクリル酸コポリマー。例えば、アクリル酸、メタクリル酸およびこれらの単純エステル（好ましくはＣ1〜4−アルカノールと形成される）から成る群から選ばれる１つ以上のモノマーとＣ10〜30−アルキルアクリレートとのコポリマー（INCI名：Acrylates/C10-30 Alkyl Acrylate Crosspolymer）が属し、前記コポリマーは、スクロースのアリルエーテルまたはペンタエリスリトールのアリルエーテルと架橋し、例えば、B.F. GoodrichからCarbopol（登録商標）、例えば疎水化Carbopol ETD 2623およびCarbopol 1382（INCI名：Acrylates/C10-30 Alkyl Acrylate Crosspolymer）並びにCarbopol Aqua 30（以前はCarbopol EX 473）の商品名で入手可能である。
【００２９】
好ましい水性液状洗剤および洗浄剤は、増粘剤系の成分ｂ）として、各々の場合の組成物全体に基づいて、０．０１〜１重量％、好ましくは０．０５〜１重量％、特に好ましくは０．１〜０．５重量％のポリアクリレート増粘剤を含む。
【００３０】
好ましく使用される更なるポリマー増粘剤は、Xanthomonas campestrisおよび幾つかの他の種により好気性条件下で生産され、２,０００,０００〜１５,０００,０００のモル質量を有する微生物性アニオン性ヘテロ多糖類、キサンタンガムである。キサンタンは、側鎖を有するβ−１,４−結合グルコース（セルロース）含有鎖で形成されている。下位基の構造は、グルコース、マンノース、グルクロン酸、アセテートおよびピルビン酸塩からなり、ピルビン酸塩単位の数が、キサンタンガムの粘度を決定する。
【００３１】
キサンタンガムは、以下の式（１）：
【化１】
2008510862.tif 000002
によって記載できる。
【００３２】
キサンタンガムは、KelcoからKeltrol（登録商標）およびKelzan（登録商標）の商品名で、RhodiaからRhodopol（登録商標）の商品名で入手可能である。
【００３３】
好ましい水性液状洗剤および洗浄剤は、増粘剤系の成分ｂ）として、各々の場合の組成物全体に基づいて、０．０１〜１重量％、好ましくは０．１〜０．５重量％のキサンタンガムを含む。
【００３４】
ジェランガムの増粘剤（増粘剤系の成分ｂ））に対する比は、好ましくは１０：１〜１：５０、特に好ましくは１：１〜１：５である。
【００３５】
増粘剤系に加えて、液状洗剤および洗浄剤は、界面活性剤を含む。アニオン性、非イオン性、カチオン性および／または両性界面活性剤の使用が可能である。応用技術の観点から、アニオン性界面活性剤と非イオン性界面活性剤との混合物が好ましい。液状洗剤および洗浄剤の合計界面活性剤含有量は、液状洗剤および洗浄剤全体に基づいて、好ましくは４０重量％未満、特に好ましくは３５重量％未満である。
【００３６】
好ましく使用される非イオン性界面活性剤は、アルコキシル化、有利にはエトキシル化された、好ましくは８〜１８個の炭素原子およびアルコール１ｍｏｌあたり平均で１〜１２ｍｏｌのエチレンオキシド（ＥＯ）を有する特に１級アルコールであり、該アルコール基は、直鎖または好ましくは２位のメチル分枝であり得、またはオキソアルコール基に通常存在するように、直鎖およびメチル分枝基の混合物を含み得る。
【００３７】
しかしながら、１２〜１８個の炭素原子を有する天然起源アルコール、例えば、ココアルコール、パームアルコール、獣脂脂肪アルコールまたはオレイルアルコールの直鎖基およびアルコール１ｍｏｌあたり平均２〜８ＥＯを有するアルコールエトキシレートが特に好ましい。好ましいエトキシル化アルコールは、例えば、３ＥＯ、４ＥＯまたは７ＥＯを有するＣ12〜14−アルコール、７ＥＯを有するＣ9〜11−アルコール、３ＥＯ、５ＥＯ、７ＥＯまたは８ＥＯを有するＣ13〜15−アルコール、３ＥＯ、５ＥＯまたは７ＥＯを有するＣ12〜18−アルコール、並びにこれらの混合物、例えば３ＥＯを有するＣ12〜14−アルコールと７ＥＯを有するＣ12〜18−アルコールとの混合物を含む。上記のエトキシル化度は、特定の生成物において整数または分数であってよい統計的平均値である。好ましいアルコールエトキシレートは、狭い同族体分布を有する（狭範囲エトキシレート、ＮＲＥ）。これらの非イオン性界面活性剤に加えて、１２個を超えるＥＯを含む脂肪アルコールもまた使用できる。このような脂肪アルコールの例は、１４ＥＯ、２５ＥＯ、３０ＥＯまたは４０ＥＯを含む獣脂脂肪アルコールである。
【００３８】
分子内にＥＯおよびＰＯ基を一緒に含む非イオン性界面活性剤も、本発明に従って使用され得る。本発明では、ＥＯ−ＰＯブロック単位またはＰＯ−ＥＯブロック単位を有するブロックコポリマーを使用できるが、ＥＯ−ＰＯ−ＥＯコポリマーまたはＰＯ−ＥＯ−ＰＯコポリマーも使用できる。混合アルコキシル化され、ＥＯおよびＰＯ単位がブロック様ではなくランダムに分布された非イオン性界面活性剤も、もちろん使用することができる。このような生成物は、エチレンオキシドおよびプロピレンオキシドを脂肪アルコールに同時に作用させることによって得られる。
【００３９】
更に、一般式ＲＯ(Ｇ)x［式中、Ｒは、８〜２２個、好ましくは１２〜１８個の炭素原子を有する直鎖またはメチル分枝、特に２位−メチル分枝の１級脂肪族基であり、Ｇは、５または６個の炭素原子を有するグリコース単位、好ましくはグルコースを表す。］に相当するアルキルグリコシドも、更なる非イオン性界面活性剤として使用できる。モノグリコシドおよびオリゴグリコシドの分布を示すオリゴマー化度ｘは、１〜１０の間の所望の数、好ましくは１．２〜１．４の間の数である。
【００４０】
単一の非イオン性界面活性剤として、または他の非イオン性界面活性剤と組み合わせて使用される好ましい非イオン性界面活性剤のその他の種類は、好ましくはアルキル鎖に１〜４個の炭素原子を有するアルコキシル化、好ましくはエトキシル化、またはエトキシル化およびプロポキシル化脂肪酸アルキルエステルであり、特に、例えばJP 58/217598に記載されているかまたはWO 90/13533に記載の方法によって好ましくは製造される脂肪酸メチルエステルである。
【００４１】
アミンオキシド型の非イオン性界面活性剤、例えば、Ｎ−ココアルキル−Ｎ,Ｎ−ジメチルアミンオキシドおよびＮ−獣脂アルキル−Ｎ,Ｎ−ジヒドロキシエチルアミンオキシド、並びに脂肪酸アルカノールアミド型の非イオン性界面活性剤も適当であり得る。これらの非イオン性界面活性剤の量は、好ましくはエトキシル化脂肪アルコールの量を超えず、特にエトキシル化脂肪アルコールの量の半分を超えない。
【００４２】
他の適当な界面活性剤は、式（２）：
【化２】
2008510862.tif 000003
［式中、ＲＣＯは、６〜２２個の炭素原子を有する脂肪族アシル基を表し、Ｒ1は、水素、１〜４個の炭素原子を有するアルキルまたはヒドロキシアルキル基を表し、［Ｚ］は、３〜１０個の炭素原子および３〜１０個のヒドロキシル基を有する直鎖または分枝ポリヒドロキシアルキル基を表す。］
に相当するポリヒドロキシ脂肪酸アミドである。ポリヒドロキシ脂肪酸アミドは、既知の物質であり、一般に、還元糖をアンモニア、アルキルアミンまたはアルカノールアミンで還元アミノ化し、続いて、脂肪酸、脂肪酸アルキルエステルまたは脂肪酸塩化物でアシル化することによって得られる。
【００４３】
ポリヒドロキシ脂肪酸アミドの群は、式（３）：
【化３】
2008510862.tif 000004
［式中、Ｒは、７〜１２個の炭素原子を有する直鎖または分枝のアルキル基またはアルケニル基であり、Ｒ1は、２〜８個の炭素原子を有する直鎖、分枝または環状のアルキル基またはアリール基であり、Ｒ2は、１〜８個の炭素原子を有する直鎖、分枝または環状のアルキル基またはアリール基またはオキシアルキル基であり、Ｃ1〜4アルキル基またはフェニル基が好ましく、［Ｚ］は、アルキル鎖が少なくとも２個のヒドロキシル基によって置換されている直鎖ポリヒドロキシアルキル基、またはその基のアルコキシル化、好ましくはエトキシル化またはプロポキシル化誘導体である。］
に相当する化合物も含む。
【００４４】
［Ｚ］は、好ましくは、糖、例えば、グルコース、フルクトース、マルトース、ラクトース、ガラクトース、マンノースまたはキシロースの還元アミノ化によって得られる。そして、Ｎ−アルコキシ−またはＮ−アリールオキシ−置換化合物を、例えばWO 95/07331の教示に従って、触媒としてのアルコキシドの存在下で脂肪酸メチルエステルと反応させることによって所望のポリヒドロキシ脂肪酸アミドに変換することができる。
【００４５】
液状洗剤および洗浄剤中の非イオン性界面活性剤の含有量は、各々の場合の組成物全体に基づいて、好ましくは５〜３０重量％、有利には７〜２０重量％、特に９〜１５重量％である。
【００４６】
使用されるアニオン性界面活性剤は、例えば、スルホネート型およびスルフェート型の界面活性剤である。スルホネート型の適当な界面活性剤は、有利には、Ｃ9〜13−アルキルベンゼンスルホネート、オレフィンスルホネート、即ち、アルケンおよびヒドロキシアルカンスルホネートの混合物、並びにジスルホネートであり、これらは、例えば、末端または内部二重結合を有するＣ12〜18−モノオレフィンを、三酸化硫黄ガスでスルホン化し、続いてスルホン化生成物をアルカリまたは酸加水分解することによって得られる。Ｃ12〜18−アルカンを、例えば、スルホ塩素化またはスルホ酸化し、続いて加水分解または中和することによって得られるアルカンスルホネートも適している。α−スルホ脂肪酸のエステル（エステルスルホネート）、例えば、水素化ココ酸、パーム核酸または獣脂脂肪酸のα-スルホン化メチルエステルも同様に適している。
【００４７】
更に適当なアニオン性界面活性剤は、硫酸化脂肪酸グリセリルエステルである。脂肪酸グリセリルエステルは、モノグリセロールを１〜３ｍｏｌの脂肪酸でエステル化するか、またはトリグリセリドを０．３〜２ｍｏｌのグリセロールでエステル交換することによって得られる、モノ−、ジ−およびトリエステル並びにこれらの混合物を意味すると理解される。好ましい硫酸化脂肪酸グリセリルエステルは、６〜２２個の炭素原子を有する飽和脂肪酸、例えば、カプロン酸、カプリル酸、カプリン酸、ミリスチン酸、ラウリン酸、パルミチン酸、ステアリン酸またはベヘン酸の硫酸化生成物である。
【００４８】
好ましいアルキル（アルケニル）スルフェートは、Ｃ12〜Ｃ18−脂肪アルコール、例えば、ココナッツ脂肪アルコール、獣脂脂肪アルコール、ラウリルアルコール、ミリスチルアルコール、セチルアルコールまたはステアリルアルコール、或いはＣ10〜Ｃ20−オキソアルコールの硫酸モノエステル、並びにこれらの鎖長の２級アルコールの硫酸モノエステルの、アルカリ金属塩、特にナトリウム塩である。また、石油化学に基づいて生成される合成直鎖アルキル基を含有し、脂肪化学原料に基づく適当な化合物に類似した分解挙動を示す、上記鎖長のアルキル（アルケニル）スルフェートも好ましい。洗浄特性から、Ｃ12〜Ｃ16−アルキルスルフェート、Ｃ12〜Ｃ15−アルキルスルフェートおよびＣ14〜Ｃ15−アルキルスルフェートが好ましい。例えば、US 3,234,258またはUS 5,075,041に従って製造され、商品名DAN（登録商標）でShell Oil Companyから得られる２,３−アルキルスルフェートも、適当なアニオン性界面活性剤である。
【００４９】
１〜６ｍｏｌのエチレンオキシドでエトキシル化された直鎖または分枝Ｃ7〜21−アルコール、例えば、平均３．５ｍｏｌのエチレンオキシド（ＥＯ）を有する２−メチル分枝Ｃ9〜11−アルコール、または１〜４ＥＯを有するＣ12〜18−脂肪アルコールの、硫酸モノエステルも適している。それらの良好な発泡挙動により、それらは、比較的少量、例えば１〜５重量％の量でのみ使用される。
【００５０】
他の適当なアニオン性界面活性剤は、スルホスクシネートまたはスルホコハク酸エステルとも称される、アルキルスルホコハク酸塩、およびスルホコハク酸とアルコール（好ましくは脂肪アルコール、特にエトキシル化脂肪アルコール）とのモノエステルおよび／またはジエステルである。好ましいスルホスクシネートは、Ｃ8〜18−脂肪アルコール基またはその混合物を含有する。特に好ましいスルホスクシネートは、それ自身非イオン性界面活性剤と見なされるエトキシル化脂肪アルコールから誘導される脂肪アルコール基を有する（以下の記載を参照）。特に好ましいスルホスクシネートは、その脂肪アルコール基が、狭い同族体分布を有するエトキシル化脂肪アルコールから誘導されたスルホスクシネートである。アルキル（アルケニル）鎖に好ましくは８〜１８個の炭素原子を有するアルキル（アルケニル）コハク酸またはその塩を使用することもできる。
【００５１】
特に好ましいアニオン性界面活性剤は、石鹸である。飽和および不飽和脂肪酸石鹸が適しており、その例は、ラウリン酸、ミリスチン酸、パルミチン酸、ステアリン酸、（水素化）エルカ酸およびベヘン酸の塩、並びに、特に天然脂肪酸、例えばココナッツ油脂肪酸、パーム核油脂肪酸、オリーブ油脂肪酸、または獣脂脂肪酸から誘導される石鹸混合物である。
【００５２】
石鹸を含むアニオン性界面活性剤は、それらのナトリウム塩、カリウム塩またはアンモニウム塩の状態で、或いは有機塩基、例えば、モノ−、ジ−またはトリエタノールアミンの可溶性塩として、存在することができる。好ましくは、アニオン性界面活性剤は、それらのナトリウム塩またはカリウム塩、特にナトリウム塩の状態で存在する。
【００５３】
好ましい液状洗剤および洗浄剤中のアニオン性界面活性剤の含有量は、各々の場合の組成物全体基づいて、２〜３０重量％、好ましくは４〜２５重量％、特に５〜２２重量％である。脂肪酸石鹸の量が、少なくとも２重量％、特に少なくとも４重量％、特に好ましくは少なくとも６重量％である場合が、とりわけ好ましい。
【００５４】
液状洗剤および洗浄剤の粘度は、従来の標準的な方法（例えば、ブルックフィールド粘度計ＬＶＴ−ＩＩを２０℃、２０ｒｐｍ、スピンドル３で使用）を用いて測定でき、好ましくは、５００〜５,０００ｍＰａｓの範囲である。好ましい組成物は７００〜４,０００ｍＰａｓの粘度を有し、１,０００〜３,０００ｍＰａｓの値が特に好ましい。
【００５５】
増粘剤系および界面活性剤に加えて、液状洗剤および洗浄剤は、液状洗剤および洗浄剤の性能特性および／または審美的特性を更に向上させる更なる成分を含んでよい。本発明の目的のために、好ましい組成物は更に、構造化剤を含み、界面活性剤と共に、ビルダー、漂白剤、漂白活性剤、酵素、電解質、非水溶媒、ｐＨ調整剤、香料、香料担体、蛍光組成物、染料、ヒドロトロープ、抑泡剤、シリコーン油、再沈着防止剤、蛍光増白剤、グレーイング阻害剤、収縮阻害剤、防シワ剤、色移り阻害剤、抗菌活性物質、殺菌剤、殺真菌剤、酸化防止剤、腐食防止剤、静電防止剤、アイロン助剤、撥水剤および含浸剤、膨潤剤および滑り防止剤並びに紫外線吸収剤から成る群から選ばれる１つ以上の物質を含む。
【００５６】
とりわけ、ケイ酸塩、ケイ酸アルミニウム（特にゼオライト）、炭酸塩、有機ジ−およびポリカルボン酸の塩、並びにこれらの混合物が、液状洗剤および洗浄剤中に存在し得るビルダーとして記載され得る。
【００５７】
適当な結晶性層状ケイ酸ナトリウムは、一般式ＮａＭＳｉxＯ2x+1・ｙＨ2Ｏ［式中、Ｍはナトリウムまたは水素であり、ｘは１．９〜４の数であり、ｙは０〜２０の数であり、好ましいｘの値は２、３または４である。］に相当する。このような結晶性層状ケイ酸塩は、例えば、EP-A-0 164 514に記載されている。与えられた式の好ましい結晶性層状ケイ酸塩は、Ｍがナトリウムであり、ｘが２または３の値をとるケイ酸塩である。とりわけ、β−およびδ−二ケイ酸ナトリウムＮａ2Ｓｉ2Ｏ5・ｙＨ2Ｏの両方が好ましく、β−二ケイ酸ナトリウムは、例えば、WO 91/08171に記載の方法から得ることができる。
【００５８】
遅延溶解を示し、２次洗浄特性を有する、１：２〜１：３．３、好ましくは１：２〜１：２．８、より好ましくは１：２〜１：２．６のＮａ2Ｏ：ＳｉＯ2組成比を有する非晶質ケイ酸ナトリウムも使用できる。通常の非晶質ケイ酸ナトリウムと比べて遅い溶解は、種々の方法、例えば、表面処理、コンパウンド化、圧縮／成形または過乾燥によって起こり得る。本発明では、用語「非晶質」は「Ｘ線非晶質」として理解される。つまり、Ｘ線回折試験において、ケイ酸塩は、結晶性物質に典型的な鋭いＸ線反射を生じず、数度の回折角の幅を有する散乱Ｘ線のせいぜい１つ以上の極大を生じる。しかしながら、電子回折試験において、ケイ酸塩粒子が不明確なまたは鋭い回折極大を生じる場合に、特に良好なビルダー特性が実現されることもある。これは、生成物が、１０〜数百ｎｍの大きさの微晶質領域を有することを意味すると解釈され得、その値は、最大５０ｎｍまで、特に最大２０ｎｍまでが好ましい。通常の水ガラスと比較して遅い溶解性を同様に有するこのようないわゆるＸ線非晶質ケイ酸塩は、例えば、DE-A-44 00 024に記載されている。成形／圧縮非晶質ケイ酸塩、コンパウンド化非晶質ケイ酸塩、および過乾燥Ｘ線非晶質ケイ酸塩が、特に好ましい。
【００５９】
使用される微細結晶質の結合水含有合成ゼオライトでは、ゼオライトＡおよび／またはＰが好ましい。特に好ましいゼオライトＰは、ゼオライトＭＡＰ（登録商標）（Crosfieldの市販品）である。しかしながら、ゼオライトＸ、並びにゼオライトＡ、Ｘおよび／またはＰの混合物も適当である。商業的に入手でき、本発明において好ましいものは、例えば、ゼオライトＸとゼオライトＡの共結晶（ゼオライトＸが約８０重量％）であり、これは、SASOLによってVEGOBOND AX（登録商標）の商品名で市販されており、式：
nNa2O・(1-n)K2O・Al2O3・(2〜2.5)SiO2・(3.4〜5.5)H2O
［式中、ｎは０．９０〜１．０である。］
によって表すことができる。
【００６０】
ゼオライトは、噴霧乾燥粉末として、または未乾燥の、その製造方法からまだ湿っている、安定な懸濁液として使用することができる。ゼオライトが懸濁液として使用される場合、ゼオライトは、安定剤として、少量の非イオン性界面活性剤、例えばゼオライトに基づいて１〜３重量％の、２〜５個のエチレンオキシド基を有するエトキシル化Ｃ12〜Ｃ18−脂肪アルコール、４〜５個のエチレンオキシド基を有するＣ12〜Ｃ14−脂肪アルコール、またはエトキシル化イソトリデカノールを含むことができる。適当なゼオライトは、１０μｍ未満の平均粒度（Coulter Counter Methodにより測定した体積分布）を有し、好ましくは１８〜２２重量％、より好ましくは２０〜２２重量％の結合水を含む。
【００６１】
生態学的理由から使用を避ける必要がなければ、一般に知られているリン酸塩を、当然、ビルダー物質として使用することもできる。オルトリン酸、ピロリン酸および特にトリポリリン酸のナトリウム塩が、特に適当である。
【００６２】
漂白剤として作用し、水にＨ2Ｏ2を遊離させる化合物の中で、過ホウ酸ナトリウム四水和物および過ホウ酸ナトリウム一水和物が特に重要である。使用できる他の漂白剤の例は、過炭酸ナトリウム、ペルオキシピロホスフェート、シトレートペルヒドレート、およびＨ2Ｏ2−遊離過酸塩または過酸、例えば、過安息香酸塩、ペルオキソフタル酸塩、ジペルオキシアゼライン酸、フタロイミノ過酸またはジペルオキシドデカン二酸である。
【００６３】
洗剤および洗浄剤は、６０℃以下の温度で洗浄する場合に改善された漂白作用を実現するために、漂白活性剤を含むことができる。使用できる漂白活性剤は、過加水分解条件下で、好ましくは１〜１０個の炭素原子、特に２〜４個の炭素原子を有する脂肪族ペルオキシカルボン酸、および／または任意に置換されていてよい過安息香酸を生じる化合物である。上記の数の炭素原子を含むＯ−アシル基および／またはＮ−アシル基、および／または任意に置換されていてよいベンゾイル基を有する物質が適している。ポリアシル化アルキレンジアミン、特にテトラアセチルエチレンジアミン（ＴＡＥＤ）、アシル化トリアジン誘導体、特に１,５−ジアセチル−２,４−ジオキソヘキサヒドロ−１,３,５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルオキシベンゼンスルホネートまたはイソノナノイルオキシベンゼンスルホネート（ｎ−ＮＯＢＳまたはイソ−ＮＯＢＳ）、カルボン酸無水物、特にフタル酸無水物、アシル化多価アルコール、特にトリアセチン、エチレングリコールジアセテートおよび２,５−ジアセトキシ−２,５−ジヒドロフランが好ましい。
【００６４】
従来の漂白活性剤に加えてまたは代えて、いわゆる漂白触媒も、液状洗剤および洗浄剤に配合してよい。これらの物質は、漂白促進遷移金属塩または遷移金属錯体、例えば、マンガン、鉄、コバルト、ルテニウムまたはモリブデンのサレン錯体またはカルボニル錯体である。窒素含有三脚型配位子によるマンガン、鉄、コバルト、ルテニウム、モリブデン、チタン、バナジウムおよび銅の錯体、並びにコバルト、鉄、銅およびルテニウムのアミン錯体も、漂白触媒として使用してよい。
【００６５】
適当な酵素は、特に、ヒドロラーゼ、例えば、プロテアーゼ、エステラーゼ、リパーゼまたは脂肪分解酵素、アミラーゼ、セルラーゼまたは他のグリコシルヒドロラーゼおよびこれらの混合物から選ばれる酵素である。洗濯中、これらヒドロラーゼの全ては、タンパク質、脂肪またはデンプン汚れのような汚れの除去、および対グレーイングに寄与する。更に、セルラーゼおよび他のグリコシルヒドロラーゼは、布地の柔軟性の増加、並びにピリングおよびマイクロフィブリルの除去による保色性に寄与できる。漂白または色移り軽減のために、オキシリアクターゼを使用してもよい。Bacillus subtilis、Bacillus licheniformis、Streptomyceus griseusおよびHumicola insolensのような細菌源または真菌から得られる酵素活性物質が、特に適当である。サブチリシン型プロテアーゼ、特にBacillus lentusから得られるプロテアーゼが好ましく使用される。下記例のような酵素の混合物は特に重要である：プロテアーゼとアミラーゼの混合物、プロテアーゼとリパーゼまたは脂肪分解酵素の混合物、プロテアーゼとセルラーゼの混合物、セルラーゼとリパーゼまたは脂肪分解酵素の混合物、プロテアーゼとアミラーゼとリパーゼまたは脂肪分解酵素の混合物、プロテアーゼとリパーゼまたは脂肪分解酵素とセルラーゼの混合物、しかしながら、特に、プロテアーゼおよび／またはリパーゼ含有混合物、或いは脂肪分解酵素との混合物。このような脂肪分解酵素の例は、既知のクチナーゼである。ある場合には、ペルオキシダーゼまたはオキシダーゼが適当であることもわかった。適当なアミラーゼは、特に、α−アミラーゼ、イソアミラーゼ、プルラナーゼおよびペクチナーゼを含む。好ましいセルラーゼは、セロビオヒドロラーゼ、エンドグルカナーゼ、およびセロビアーゼとしても知られているβ−グルコシダーゼ、またはこれらの混合物である。種々のセルラーゼ種は、それらのＣＭＣアーゼ活性およびアビセラーゼ活性が異なるので、セルラーゼの管理された混合によって所望の活性を調整することができる。
【００６６】
酵素を早期分解から保護するために、酵素を担体に吸着させることができる。酵素、酵素混合物または酵素顆粒の含有量は、例えば、約０．１〜５重量％であってよく、好ましくは０．１２〜約２．５重量％であり得る。
【００６７】
無機塩の群から選ばれる多数の様々な塩を、電解質として使用することができる。好ましいカチオンは、アルカリ金属イオンおよびアルカリ土類金属イオンであり、好ましいアニオンは、ハロゲン化物イオンおよび硫酸イオンである。ＮａＣｌまたはＭｇＣｌ2の組成物への添加が、工業生産の観点から好ましい。組成物中の電解質の含有量は、通常、０．５〜５重量％の範囲である。
【００６８】
液状洗剤および洗浄剤に添加できる非水溶媒は、それが所定の濃度で水混和性である限り、例えば、一価アルコールまたは多価アルコール、アルカノールアミンまたはグリコールエーテルからなる群に由来する。好ましくは、溶媒は下記群から選択される：エタノール、ｎ−プロパノールまたはイソプロパノール、ブタノール、グリコール、プロパンジオールまたはブタンジオール、グリセロール、ジグリコール、プロピルジグリコールまたはブチルジグリコール、ヘキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチルエーテル、プロピレングリコールエチルエーテルまたはプロピレングリコールプロピルエーテル、ジプロピレングリコールモノメチルエーテルまたはジプロピレングリコールモノエチルエーテル、ジイソプロピレングリコールモノメチルエーテルまたはジイソプロピレングリコールモノエチルエーテル、メトキシトリグリコール、エトキシトリグリコールまたはブトキシトリグリコール、１−ブトキシエトキシ−２−プロパノール、３−メチル−３−メトキシブタノール、プロピレングリコール ｔ−ブチルエーテル、およびこれら溶媒の混合物。非水溶媒は、好ましくは０．５〜１５重量％、しかしながら好適には１２重量％未満、特に９重量％未満の量で液状洗剤および洗浄剤に添加することができる。
【００６９】
液状洗剤および洗浄剤のｐＨを所望の範囲にするために、ｐＨ調整剤の使用が適当であり得る。本発明では、その使用が性能特性または生態学的理由或いは消費者保護に関する理由によって禁止されていないならば、全ての既知の酸またはアルカリを使用することができる。通常、これらの調整剤の量は、組成物全体の７重量％を超えない。
【００７０】
液状洗剤および洗浄剤の審美的効果を向上させるために、それらは適当な染料によって着色され得る。好ましい染料は、当業者にとってその選択は全く困難ではないが、長期保存寿命を有し、組成物の他成分および光に対して鈍感であり、布地繊維への着色を防ぐため布地繊維に対して明白な直接性を有さない。
【００７１】
液状洗剤および洗浄剤に使用できる適当な抑泡剤は、例えば、石鹸、パラフィンまたはシリコーン油であり、これらは任意に担体物質に担持され得る。「防汚剤」とも称される再沈着防止剤の適当な例を以下に示す：各々の場合の非イオン性セルロースエーテルに基づいて１５〜３０重量％のメトキシ基および１〜１５重量％のヒドロキシプロピル基を有するメチルセルロースおよびメチルヒドロキシプロピルセルロースのような非イオン性セルロースエーテル、並びにフタル酸および／またはテレフタル酸のポリマーまたはそれらの従来技術で既知の誘導体、特に、エチレンテレフタレートおよび／またはポリエチレングリコールテレフタレートのポリマー、或いはそれらのアニオン性変性および／または非イオン性変性誘導体。これらのうち、フタル酸ポリマーおよびテレフタル酸ポリマーのスルホン化誘導体が特に好ましい。
【００７２】
処理されたシート様布地構造物のグレーイングおよび黄ばみを軽減するため、蛍光増白剤を液状洗剤および洗浄剤に添加することができる。蛍光増白剤は繊維上に吸着し、非可視紫外線をより長波長の可視光に転化することによって、増白および擬似漂白効果をもたらす。このとき、太陽光から吸収される紫外線は、弱青色蛍光として光り、グレーイングが生じたまたは黄ばんだ洗濯物の黄色い色調を純白にする。適当な化合物は、例えば、４,４'−ジアミノ−２,２'−スチルベンジスルホン酸（フラボン酸）、４,４'−ジスチリルビフェニル、メチルウンベリフェロン、クマリン、ジヒドロキノリノン、１,３−ジアリールピラゾリン、ナフタルイミド、ベンゾオキサゾール系、ベンゾイソオキサゾール系およびベンゾイミダゾール系、並びに複素環式置換ピレン誘導体の種類の物質に由来する。蛍光増白剤は、通常、調製された組成物に基づいて０．０３〜０．３重量％の量で使用される。
【００７３】
グレーイング阻害剤は、繊維から除去された汚れを洗濯液中に懸濁したままにする機能を有し、それによって、汚れの再付着を防ぐ。この目的のためには、水溶性コロイド、一般には有機性のものが適当であり、その例は、糊、ゼラチン、或いはデンプンまたはセルロースのエーテルスルホン酸塩、或いはセルロースまたはデンプンの酸性硫酸エステル塩である。水溶性酸性基含有ポリアミドも、この目的のために適当である。更に、上記したもの以外の可溶性デンプン調剤およびデンプン生成物も使用でき、その例は、分解デンプン、アルデヒドデンプンなどである。ポリビニルピロリドンも使用できる。しかしながら、カルボキシメチルセルロース（Ｎａ塩）、メチルセルロース、ヒドロキシアルキルセルロースのようなセルロースエーテル類、およびメチルヒドロキシエチルセルロース、メチルヒドロキシプロピルセルロース、メチルカルボキシメチルセルロースのような混合エーテル類、並びにこれらの混合物が、組成物に基づいて０．１〜５重量％の量で好ましく使用される。
【００７４】
各々の繊維が、繊維方向に垂直の、屈曲、曲げ、圧縮および絞りに敏感なので、シート様布地構造物、特に、レーヨン、レーヨンステープル、綿およびこれらの混合物はシワになりやすいため、組成物は、合成防シワ剤を含み得る。合成防シワ剤は、例えば、通常エチレンオキシドと反応した、脂肪酸、脂肪酸エステル、脂肪酸アミド、脂肪酸アルキロールエステル、脂肪酸アルキロールアミドまたは脂肪アルコールに基づく合成生成物、或いはレシチンまたは変性リン酸エステルに基づく生成物を含む。
【００７５】
液状洗剤および洗浄剤は、微生物を制御するために抗菌活性物質を含むことができる。抗菌スペクトルおよび作用機序によって、抗菌剤は、静菌剤および殺菌剤、静真菌剤および殺真菌剤などに分類される。これらの中で重要な例は、例えば、塩化ベンザルコニウム、アルキルアリールスルホネート、ハロフェノールおよび酢酸フェノール第二水銀であり、特に、本発明の組成物において、これらの化合物は全く含まれなくてもよい。
【００７６】
本発明の組成物は、液状洗剤および洗浄剤および／または処理されたシート様布地構造物の、酸素および他の酸化作用によって生ずる望ましくない変化を防ぐために、酸化防止剤を含むことができる。この種の化合物は、例えば、置換フェノール、ヒドロキノン、ピロカテコールおよび芳香族アミン、並びに有機硫化物、多硫化物、ジチオカルバメート、ホスフィートおよびホスホネートを含む。
【００７７】
本発明の組成物に添加され得る帯電防止剤の更なる使用により、肌触りを向上させることができる。帯電防止剤は表面伝導率を増加させ、それによって、蓄積した電荷の放電を増進する。一般に、外部帯電防止剤は、少なくとも１つの親水性分子配位子を有する物質であり、表面に幾分吸湿性の膜を与える。これらの主に界面活性な帯電防止剤は、窒素含有帯電防止剤（アミン、アミド、第四アンモニウム化合物）、リン含有帯電防止剤（リン酸エステル）、およびイオウ含有帯電防止剤（アルキルスルホネート、アルキルスルフェート）に細分される。外部帯電防止剤は、例えば、FR 1,156,513、GB 873 214およびGB 839 407に記載されている。同特許出願で開示されているラウリル（またはステアリル）ジメチルベンジルアンモニウムクロリドは、シート様布地構造物のためまたは洗剤への添加剤として適当な帯電防止剤であり、更なる仕上げ効果を生ずる。
【００７８】
水吸収能、処理されたシート様布地構造物の湿潤性を向上させるため、および処理されたシート様布地構造物のアイロンがけを容易にするために、例えば、シリコーン誘導体を液状洗剤および洗浄剤に添加することができる。加えて、シリコーン誘導体は、その抑泡性によって組成物の最終濯ぎ挙動を改善する。好ましいシリコーン誘導体の例は、ポリジアルキルシロキサンまたはアルキルアリールシロキサンであり、このアルキル基は１〜５個の炭素原子を有し、全体的または部分的にフッ素化されている。好ましいシリコーンは、任意に誘導されて、アミノ官能性であるかまたは四級化されているか或いはＳｉ−ＯＨ、Ｓｉ−Ｈおよび／またはＳｉＣｌ結合を有してよい、ポリジメチルシロキサンである。好ましいシリコーンの２５℃での粘度は、１００〜１００,０００ｍＰａｓの範囲であり、シリコーンは、組成物全体に基づいて０．２〜５重量％の量で使用することができる。
【００７９】
最後に、液状洗剤および洗浄剤は、処理されたシート様布地構造物に吸着し、繊維の耐光性を向上させる、紫外線吸収剤を含むこともできる。このような所望の特性を有する化合物は、例えば、効果的な無放射失活性の、２位および／または４位に置換基を有するベンゾフェノンの化合物および誘導体である。また、置換ベンゾトリアゾール、２位にシアノ基を任意に有してよい３−フェニル置換アクリレート（桂皮酸誘導体）、サリチレート、有機ニッケル錯体、および天然物質、例えばウンベリフェロンおよび内生ウロカニン酸が適当である。
【００８０】
重金属の触媒作用によるある種の洗剤成分の分解を妨げるため、重金属を錯化する物質を使用できる。適当な重金属イオン錯化剤は、例えば、エチレンジアミン四酢酸（ＥＤＴＡ）アルカリ金属塩またはニトリロ三酢酸（ＮＴＡ）アルカリ金属塩、並びに、ポリマレエートおよびポリスルホネートのようなアニオン性高分子電解質のアルカリ金属塩である。
【００８１】
錯化剤の好ましい種類は、好ましい液状洗剤および洗浄剤中に、０．０１〜２．５重量％、好ましくは０．０２〜２重量％、特に０．０３〜１．５重量％の量で存在するホスホネートである。これらの好ましい化合物は、特に、有機ホスホネート、例えば、１−ヒドロキシエタン−１,１−ジホスホン酸（ＨＥＤＰ）、アミノトリ(メチレンホスホン酸)（ＡＴＭＰ）、ジエチレントリアミンペンタ(メチレンホスホン酸)（ＤＴＰＭＰまたはＤＥＴＰＭＰ）および２−ホスホノブタン−１,２,４−トリカルボン酸（ＰＢＳ−ＡＭ）を含み、一般に、それらのアンモニウム塩またはアルカリ金属塩として使用される。
【００８２】
得られた水性液状洗剤および洗浄剤は澄明である。即ち、沈澱物がなく、好ましくは透明または少なくとも半透明である。好適には水性液状洗剤および洗浄剤は、少なくとも３０％、好ましくは５０％、特に好ましくは７５％の可視光線透過率を有する。
【００８３】
これらの成分に加えて、水性洗剤および洗浄剤は、最大寸法に沿った径が０．０１〜１０,０００μｍの範囲にある分散粒子を含み得る。
【００８４】
本発明の範囲では、粒子は、マイクロカプセル、顆粒、コンパウンドおよび香料ビーズであり得、マイクロカプセルが好ましい。
【００８５】
用語「マイクロカプセル」は、少なくとも１つの連続外被、特にポリマーの外被によってカプセル化された、少なくとも１つの固体コアまたは液体コアを含む集合体を意味すると理解される。マイクロカプセルは通常、乳化およびコアセルべーションまたは界面重合の後の製造過程で、ポリマーがカプセル化される物質上に析出することによって、被膜形成ポリマーによりカプセル化される、良好に分散した液相または固相である。微視的小カプセルを、粉末のように乾燥することもできる。シングルコアマイクロカプセルに加えて、マイクロスフェアとも称されるマルチコア集合体も既知であり、連続カプセル化物質内に配された２以上のコアを含む。また、シングルコアマイクロカプセルまたはマルチコアマイクロカプセルは、更なる第二、第三などの外被によってカプセル化され得る。１層の連続外被を有するシングルコアマイクロカプセルが好ましい。外被は、天然物質、半合成物質または合成物質からなり得る。天然外被物質の例は、アラビアゴム、寒天、アガロース、マルトデキストリン、アルギン酸またはその塩、例えばアルギン酸ナトリウムまたはアルギン酸カルシウム、脂肪および脂肪酸、セチルアルコール、コラーゲン、キトサン、レシチン、ゼラチン、アルブミン、セラック、多糖類、例えば、デンプンまたはデキストラン、スクロースおよびワックスである。半合成外被物質は、とりわけ、化学的変性セルロース、特にセルロースエステルおよびセルロースエーテル、例えば、酢酸セルロール、エチルセルロース、ヒドロキシプロピルセルロース、ヒドロキシプロピルメチルセルロースおよびカルボキシメチルセルロース、並びにデンプン誘導体、特にデンプンエーテルおよびデンプンエステルを含む。合成外被物質の例は、ポリマー、例えば、ポリアクリレート、ポリアミド、ポリビニルアルコールまたはポリビニルピロリドンである。
【００８６】
水性液状洗剤および洗浄剤の、敏感な、化学的または物理的不適合性の揮発性成分（活性物質）は、マイクロカプセル内部にカプセル化され、貯蔵および輸送安定となる。蛍光増白剤、界面活性剤、金属イオン錯化剤、漂白剤、漂白活性剤、染料、香料、酸化防止剤、ビルダー、酵素、酵素安定剤、抗菌活性物質、グレーイング阻害剤、再沈着防止剤、ｐＨ調整剤、電解質、抑泡剤、および紫外線吸収剤は、マイクロカプセルに入れられ得る物質の例である。本発明の水性液状洗剤および洗浄剤の成分ではない上記成分に加えて、マイクロカプセルは、例えば、カチオン性界面活性剤、ビタミン、タンパク質、防腐剤、洗浄力増進剤またはパール光沢剤を含み得る。マイクロカプセルの中身は、固体、或いは溶液またはエマルションまたは懸濁液状態の液体であり得る。
【００８７】
製造工程の観点では、マイクロカプセルはいかなる形状でもあり得るが、ほぼ球状が好ましい。最大空間的寸法に沿ったマイクロカプセルの径は、カプセル化成分および用途によって、０．０１μｍ（カプセルとして視覚的に認識不可）〜１０,０００μｍである。１００μｍ〜７,０００μｍ、特に４００μｍ〜５,０００μｍの範囲の径を有する可視マイクロカプセルが好ましい。マイクロカプセルは、従来技術で既知の方法によって得ることができ、その中で、コアセルべーションおよび界面重合が最も重要である。商業的に入手可能であり界面活性剤に対して安定なマイクロカプセルの全てを、本発明のマイクロカプセルとして使用することができ、市販品の例（外被物質／カプセル化物質を、各々、括弧内に記載）は、Hallcrest Microcapsules（ゼラチン、アラビアゴム）、Coletica Thalaspheres（海洋性コラーゲン）、Lipotec Millicapsules（アルギン酸、寒天）、Induchem Unispheres（ラクトース、微晶質セルロース、ヒドロキシプロピルメチルセルロース）；Unicerin C30（ラクトース、微晶質セルロース、ヒドロキシプロピルメチルセルロース）、Kobo Glycospheres（加工デンプン、脂肪酸エステル、リン脂質）、Softspheres（変性寒天）およびKuhs Probiol Nanospheres（リン脂質）である。
【００８８】
また、コア−外被構造を有さない粒子も使用でき、この場合、活性物質は、マトリックス形成物質のマトリックス内に分散されている。このような粒子は、「スペックル」とも称される。
【００８９】
好ましいマトリックス形成物質は、アルギン酸塩である。アルギン酸塩ベーススペックルは、カプセル化可能な活性物質を包むアルギン酸塩水溶液を滴下し、次いで、Ｃａ2+イオンまたはＡｌ3+イオンを含む沈澱浴内で固めることによって製造される。
【００９０】
続いて、アルギン酸塩ベーススペックルを水で洗浄し、その後、液状洗剤および洗浄剤の成分、例えば脂肪酸石鹸と望ましくない作用を生じ得る、遊離Ｃａ2+イオンまたは遊離Ａｌ3+イオンを洗い流すために金属イオン錯化剤水溶液で洗浄することが有利であり得る。最後に、アルギン酸塩ベーススペックルを、再び水で洗浄し、過剰の金属イオン錯化剤を除去する。
【００９１】
また、アルギン酸塩に代えて、他のマトリックス形成物質を使用することができる。マトリックス形成物質の例は、ポリエチレングリコール、ポリビニルピロリドン、ポリメタクリレート、ポリリシン、ポリオキサマー、ポリビニルアルコール、ポリアクリル酸、ポリエチレンオキシド、ポリエトキシオキサゾリン、アルブミン、ゼラチン、アカシア、キトサン、セルロース、デキストラン、Ficoll（登録商標）、デンプン、ヒドロキシエチルセルロース、ヒドロキシプロピルセルロース、ヒドロキシプロピルメチルセルロース、ヒアルロン酸、カルボキシメチルセルロース、脱アセチル化キトサン、デキストランスルフェートおよびこれら物質の誘導体を含む。これらの物質について、マトリックス形成は、例えば、ゲル化、ポリアニオン−ポリカチオン相互作用または高分子電解質−金属イオン相互作用によって達成され、これらのマトリックス形成物質を有する粒子の製造と同様に、従来技術でよく知られている。
【００９２】
粒子は、安定して水性液状洗剤および洗浄剤に分散され得る。安定とは、組成物が、室温および４０℃で、少なくとも４週間、好ましくは少なくとも６週間、クリーム状になることなく、または沈降することなく、安定であることを意味する。
【００９３】
マイクロカプセルまたはスペックルからの活性物質の放出は、通常、力学的、熱的、化学的または酵素作用による、外被またはマトリックスの破壊によって、それらを含む組成物の使用中に生じる。本発明の好ましい態様では、液状洗剤および洗浄剤は、同じまたは異なった粒子を、０．０１〜１０重量％、特に０．２〜８重量％、最も好ましくは０．５〜５重量％の量で含む。
【００９４】
本発明の洗剤および洗浄剤は、シート様布地および硬質表面を洗浄するために使用され得る。
【００９５】
液状洗剤および洗浄剤の製造のために、まず、ジェランガムを水に添加し、８０℃で膨潤させる。次いで、好ましくはＡｌ3+またはＣａ2+のような３価または２価金属カチオンを含む、少量の塩溶液を添加する。次の工程では、酸性成分、例えば、直鎖アルカンスルホネート、クエン酸、ホウ酸、ホスホン酸、脂肪アルコールエーテルスルフェートなど、および非イオン性界面活性剤を添加する。続いて、塩基、例えば、ＮａＯＨ、ＫＯＨ、トリエタノールアミンまたはモノエタノールアミンを添加し、添加する場合は脂肪酸を添加する。その後、水性液状洗剤および洗浄剤の残余成分および溶媒、ならびに添加する場合はポリアクリレート増粘剤を混合物に添加し、ｐＨを約８．５に調整する。最後に、分散させる粒子を添加し、混合によって水性液状洗剤および洗浄剤に均一に分散させ得る。
【００９６】
洗剤および洗浄剤の増粘剤系が、成分ｂ）として多糖類、例えばキサンタンガムを含む場合は、これをまずジェランガムを含む水に膨潤させる。
【実施例】
【００９７】
表１は本発明の洗剤および洗浄剤Ｅ１〜Ｅ３、ならびに比較例Ｃ１〜Ｃ５を示す。得られた洗剤および洗浄剤Ｅ１〜Ｅ３は澄明であり、１,０００ｍＰａｓの粘度を有していた。液状洗剤および洗浄剤のｐＨは８．５であった。全データは、各々の場合の組成物全体に基づいた重量％である。
【００９８】
【表１】
2008510862.tif 000005
【００９９】
洗剤および洗浄剤Ｅ１〜Ｅ３は、室温および４０℃で８週間安定であった。
【０１００】
実施例から、選ばれた増粘剤、この場合はポリアクリレート増粘剤またはキサンタンガムと、ジェランガムとの組合せのみが相乗効果を示し、降伏価を有する増粘された澄明な洗剤および洗浄剤を生じることが明らかである。
【０１０１】
例えば、０．６重量％しかポリアクリレート増粘剤を含まない増粘剤系は、安定な液状洗剤および洗浄剤（Ｃ５）を与えるが、この組成物は降伏価を有さない。０．６重量％のポリアクリレート増粘剤と０．２重量％のキサンタンガムとの組合せも、降伏価を有する安定な組成物を生じない（Ｃ４）。一方、本発明に従った０．６重量％の増粘剤系（０．２重量％のジェランガムおよび０．４重量％のポリアクリレート増粘剤）を含む液状洗剤および洗浄剤（Ｅ１またはＥ２）は安定であり、降伏価を有する。
【０１０２】
比較例Ｃ１〜Ｃ３から、ガム（ジェランガムまたはキサンタンガム）単独の使用は、異なった濃度で用いた場合でさえ、降伏価を有する安定な組成物を生じないことも明らかである。意外なことに、ジェランガムおよびキサンタンガムの増粘剤系を含む液状洗剤および洗浄剤（Ｅ３）は、安定で降伏価を有する。ここでも、本発明に従った増粘剤系による相乗効果が生じている。
【国際調査報告】
2008510862.tif 000006
2008510862.tif 000007
2008510862.tif 000008
2008510862.tif 000009